(57)【要約】【課題】簡素な構造であると共に、障害復旧作業やメインテナンス作業を容易に行うことができるシート搬送装置を提供する。【解決手段】フレームに回動支点Ｘ３１を介して取り付けられ、開状態と閉状態との間で回動可能なカバー３１と、カバー３１の回動支点Ｘ３１に向かって突出するようにフレームに設けられた山型部としての駆動牽引ローラ１７Ａと、駆動牽引ローラ１７Ａに接近／離脱する方向に往復動可能にカバー３１に取り付けられ、かつ、駆動牽引ローラ１７Ａに接近する方向に付勢された可動子としての従動牽引ローラ１７Ｂとを有している。従動牽引ローラ１７Ｂが、カバー３１の閉状態時には駆動牽引ローラ１７Ａの一方の裾部分Ｍｆ１に当接する一方、カバーの開状態時には駆動牽引ローラ１７Ａの他方の裾部分Ｍｆ２に当接することにより、カバー３１は、閉状態および開状態それぞれでラッチされる。【選択図】図３
2014105104.tif 000002
【特許請求の範囲】
【請求項１】
フレームに形成された内壁と、該内壁に所定の間隔を置いて対向する外壁とによって規定される搬送路内にてシートを搬送するシート搬送装置であって、
前記フレームに回動支点を介して取り付けられ、前記外壁に形成された切欠部を閉蓋する閉状態と、該切欠部を開蓋する開状態との間で回動可能なカバーと、
前記カバーの前記回動支点に向かって突出するように前記フレームに設けられた山型部と、
前記山型部に接近／離脱する方向に往復動可能に前記カバーに取り付けられ、かつ、該山型部に接近する方向に付勢された可動子とを有し、
前記可動子が、前記カバーの閉状態時には前記山型部の一方の裾部分に当接する一方、前記カバーの開状態時には前記山型部の他方の裾部分に当接することにより、前記カバーは、閉状態および開状態それぞれでラッチされることを特徴とするシート搬送装置。
【請求項２】
前記フレームに軸支され、駆動源によって駆動される駆動ローラと、前記カバーに軸支され、前記駆動ローラに対して付勢された従動ローラとをさらに有し、前記駆動ローラおよび前記従動ローラは、両ローラ間にシートを挟んで搬送するものであり、
前記山型部は、前記駆動ローラによって構成され、
前記従動ローラは、前記駆動ローラに接近／離脱する方向に中心軸ごと往復動可能であり、かつ、該駆動ローラに接近する方向に中心軸ごと付勢され、それにより、前記可動子は、前記従動ローラによって構成される請求項１に記載のシート搬送装置。
【請求項３】
前記内壁のうちの前記カバーの開状態時に前記切欠部に露出する領域に、シートの読取デバイスの窓が位置している請求項１または２に記載のシート搬送装置。
【請求項４】
前記内壁のうちの前記カバーの開状態時に前記切欠部に露出する領域に、印字ヘッドが位置している請求項１乃至３のいずれか一項に記載のシート搬送装置。
【発明の詳細な説明】
【技術分野】
【０００１】
本発明は、読み取り原稿や印刷用紙などのシートを扱うシートフィードスキャナやプリンタ等の電子機器に搭載され、搬送路上にてシートを搬送するシート搬送装置に関する。
【背景技術】
【０００２】
この種のシート搬送装置は、シートフィードスキャナやプリンタの他にも、コピー機、ファクシミリ装置、あるいはそれらの複合機等、多岐にわたる電子機器に搭載されている。
【０００３】
シート搬送装置は、その動作中に、シートの搬送路の途中でシートがジャムを起こしてシート詰まりとなることがある。シート搬送装置においては、シート詰まりのような障害からの復旧、あるいは、シート搬送装置やこれを搭載する電子機器において搬送路を臨む位置に搭載されている読取デバイスや印字ヘッド等のメインテナンスを行うために、搬送路の途中に開閉可能なカバーが設けられることが多い。
【０００４】
この種のカバーは、シート搬送装置の通常稼動時には閉状態とされる一方、障害復旧作業時やメインテナンス作業時には開状態とされる。尚、このようなカバーを備えたシート搬送装置は、例えば、特許文献１に開示されている。
【０００５】
ところで、この種のカバーには、シート搬送装置の通常稼動時にカバーを閉状態に維持するために、ロック機構、もしくは、カバーを閉状態に向けて付勢するカバー付勢機構が設けられることが一般的である。尚、ロック機構としては、例えば、凹部／凸部の係合関係をなすもの、閂錠の形態またはクレセント錠の形態のもの等が知られている。このうちの凹部／凸部の係合関係をなすものや、閂錠の形態のものは、凸部や閂をロック状態に向けて付勢する付勢力印加機構が設けられることが多い。
【先行技術文献】
【特許文献】
【０００６】
【特許文献１】特開２００４−４５５５４号公報
【発明の概要】
【発明が解決しようとする課題】
【０００７】
しかし、シート搬送装置の通常稼動時に上記カバーを閉状態を維持するために設けられるロック機構は、部品数が多く、複雑な構造であり、シート搬送装置の小型化の弊害となったり、製造コスト上昇を招来していた。
【０００８】
さらに、このロック機構、ならびに、同様の目的でカバーに設けられることがあるカバー付勢機構のどちらも、カバーを閉状態に維持する機能のみを有するものであり、シート搬送装置の障害復旧時やメインテナンス時にカバーを開状態に維持する機能は有していない。このため、シート搬送装置の障害復旧作業やメインテナンス作業を実施する際には、ユーザは手でカバーを開状態に維持しつつ、障害復旧作業やメインテナンス作業を行う必要がある。特に、カバーを閉状態に維持するカバー付勢機構の場合には、ユーザは、カバー付勢機構による付勢力に打ち勝つ力を与えることによってカバーを開状態に維持しなければならず、シート搬送装置の障害復旧作業やメインテナンス作業の作業性を損なうものであった。
【０００９】
それ故、本発明の課題は、簡素な構造であると共に、障害復旧作業やメインテナンス作業を容易に行うことができるシート搬送装置を提供することである。
【課題を解決するための手段】
【００１０】
本発明によれば、フレームに形成された内壁と、該内壁に所定の間隔を置いて対向する外壁とによって規定される搬送路内にてシートを搬送するシート搬送装置であって、前記フレームに回動支点を介して取り付けられ、前記外壁に形成された切欠部を開蓋する開状態と、該切欠部を閉蓋する閉状態との間で回動可能なカバーと、前記カバーの前記回動支点に向かって突出するように前記フレームに設けられた山型部と、前記山型部に接近／離脱する方向に往復動可能に前記カバーに取り付けられ、かつ、該山型部に接近する方向に付勢された可動子とを有し、前記可動子が、前記カバーの閉状態時には前記山型部の一方の裾部分に当接する一方、前記カバーの開状態時には前記山型部の他方の裾部分に当接することにより、前記カバーは、閉状態および開状態それぞれでラッチされることを特徴とするシート搬送装置が得られる。
【００１１】
前記フレームに軸支され、駆動源によって駆動される駆動ローラと、前記カバーに軸支され、前記駆動ローラに対して付勢された従動ローラとをさらに有し、前記駆動ローラおよび前記従動ローラは、両ローラ間にシートを挟んで搬送するものであり、前記山型部は、前記駆動ローラによって構成され、前記従動ローラは、前記駆動ローラに接近／離脱する方向に中心軸ごと往復動可能であり、かつ、該駆動ローラに接近する方向に中心軸ごと付勢され、それにより、前記可動子は、前記従動ローラによって構成されてもよい。
【００１２】
前記内壁のうちの前記カバーの開状態時に前記切欠部に露出する領域に、シートの読取デバイスの窓が位置していてもよい。
【００１３】
前記内壁のうちの前記カバーの開状態時に前記切欠部に露出する領域に、印字ヘッドが位置していてもよい。
【発明の効果】
【００１４】
本発明によるシート搬送装置は、簡素な構造であると共に、障害復旧作業やメインテナンス作業を容易に行うことができる。
【図面の簡単な説明】
【００１５】
【図１】本発明の実施例によるシート搬送装置を示す図であり、（ａ）は上面図、（ｂ）は側面図、（ｃ）は底面図である。
【図２】本発明の実施例によるシート搬送装置の部分断面図である。
【図３】本発明の実施例によるシート搬送装置の動作を説明するための図であり、（ａ）はカバーが閉状態にある要部の断面図、（ｂ）はさらなる要部の矢視側面図である。
【図４】本発明の実施例によるシート搬送装置の動作を説明するための図であり、（ａ）はカバーが開閉の中途状態にある要部の断面図、（ｂ）はさらなる要部の矢視側面図である。
【図５】本発明の実施例によるシート搬送装置の動作を説明するための図であり、（ａ）はカバーが開状態にある要部の断面図、（ｂ）はさらなる要部の矢視側面図である。
【発明を実施するための形態】
【００１６】
本発明によるシート搬送装置は、フレームに形成された内壁と、内壁に所定の間隔を置いて対向する外壁とによって規定される搬送路内にてシートを搬送するシート搬送装置であって、カバーを有している。カバーは、フレームに回動支点を介して取り付けられ、外壁に形成された切欠部を閉蓋する閉状態と、切欠部を開蓋する開状態との間で回動可能である。
【００１７】
特に、本シート搬送装置は、カバーの回動支点に向かって突出するようにフレームに設けられた山型部と、山型部に接近／離脱する方向に往復動可能にカバーに取り付けられ、かつ、山型部に接近する方向に付勢された可動子とをさらに有している。
【００１８】
そして、可動子が、カバーの閉状態時には山型部の一方の裾部分に当接する一方、カバーの開状態時には山型部の他方の裾部分に当接することにより、カバーは、閉状態および開状態それぞれでラッチされる。
【００１９】
上記構成により、本シート搬送装置は、簡素な構造であると共に、障害復旧作業やメインテナンス作業を容易に行うことができる。
【００２０】
即ち、本シート搬送装置は、従前のロック機構を持たない簡素な構造であるにも拘わらず、シート搬送装置の通常稼動時にカバーを閉状態を維持することができる。
【００２１】
また、本シート搬送装置は、シート搬送装置の障害復旧時やメインテナンス時にカバーを開状態に維持するため、シート搬送装置の障害復旧作業やメインテナンス作業を実施する際に、ユーザが手でカバーを開状態に維持する必要がない。よって、シート搬送装置の障害復旧作業やメインテナンス作業の作業性に優れている。
【００２２】
さらに、本発明によるシート搬送装置においては、シートを挟んで搬送するための、対をなすフレームに軸支された駆動ローラと、カバーに軸支された従動ローラとをさらに有し、山型部が駆動ローラによって構成される一方、可動子は、従動ローラによって構成されてもよい。
【００２３】
この場合、シート搬送装置が元々備えている駆動ローラおよび従動ローラがそれぞれ、山形部および可動子として機能するため、本シート搬送装置は、より一層簡素な構造である。
【実施例】
【００２４】
以下、図面を参照して、本発明によるシート搬送装置のより具体的な実施例を説明する。
【００２５】
図１（ａ）〜（ｃ）、図２ならびに図３（ａ）を参照すると、本発明の実施例によるシート搬送装置は、プリンタ、フラットベッドスキャナおよびシートフィードスキャナ（または、さらにファクシミリ機）の各機能を有する複合機のシートフィードスキャナ部１０に適用された例である。尚、シートフィードスキャナ部１０は、複合機の本体（図示せず）上にヒンジ４１を介して開閉可能に搭載され、複合機におけるフラットベッドスキャナ部（図示せず）の原稿押さえとしても機能するものである。符号４２は、フラットベッドスキャナ部によって読み取るべき原稿を押さえるパッドを示している。
【００２６】
シートフィードスキャナ部１０は、本発明によるシート搬送装置と、ＣＩＳ（Contact Image Sensor）等の読取デバイス２１とを有している。
【００２７】
本シート搬送装置は、一枚または複数枚の原稿（シート）が読取デバイス２１によって読み取るべき読取面を下向きにして載置される取込トレー１１と、取込トレー１１に載置された複数枚の原稿を、最上に載置された原稿から一枚ずつシートフィードスキャナ部１０に取り込むピックローラ１２ならびに対をなす駆動分離ローラ１３Ａおよび従動分離ローラ１３Ｂを有している。
【００２８】
ピックローラ１２は、必要時のみ下降して来るように昇降可能に構成されている。ピックローラ１２および駆動分離ローラ１３Ａはそれぞれ、駆動源としての図示しない電気モータに歯車等を介して機械的に接続されている。従動分離ローラ１３Ｂは、内壁１４を含む固定フレームに回転可能に設けられていると共に、コイルバネ１３Ｃによって駆動分離ローラ１３Ａに対して所定の大きさの付勢力で付勢されている。尚、内壁を含む固定フレームが、さらに基礎的なフレームに可動に取り付けられる場合もある。
【００２９】
本シート搬送装置はさらに、内壁１４と内壁１４に所定の間隔を置いて対向する外壁１５とによって規定される搬送路にて、原稿をＵターンするように搬送する組をなす駆動フィードローラ１６Ａ、第１従動フィードローラ１６Ｂおよび第２従動フィードローラ１６Ｄを有している。
【００３０】
駆動フィードローラ１６Ａは、内壁１４を含む固定フレームに設けられていると共に、駆動源としての図示しない電気モータに歯車等を介して機械的に接続されている。第１従動フィードローラ１６Ｂは、コイルバネ１６Ｃによって駆動フィードローラ１６Ａに対して所定の大きさの付勢力で付勢されている。同様に、第２従動フィードローラ１６Ｄは、図示しない両持ちバネによって駆動フィードローラ１６Ａに対して所定の大きさの付勢力で付勢されている。
【００３１】
本シート搬送装置はさらに、Ｕターンして搬送されて来た原稿を牽引する対をなす駆動牽引ローラ（駆動排出ローラ）１７Ａおよび従動牽引ローラ（従動排出ローラ）１７Ｂを有している。駆動牽引ローラ１７Ａは、内壁１４を含む固定フレームに中心軸Ｘ１７Ａが軸支されていると共に、駆動源としての図示しない電気モータに歯車等を介して機械的に接続されている。一方、従動分離ローラ１７Ｂは、後述するように固定フレームに回動可能に取り付けられたカバー３１に往復動可能に設けられていると共に、コイルバネ１７Ｃによって駆動牽引ローラ１７Ａに対して所定の大きさの付勢力で付勢されている。
【００３２】
対をなす駆動牽引ローラ１７Ａおよび従動牽引ローラ１７Ｂによって牽引される原稿は、内壁１４に形成された切欠に取り付けられた読取窓２２を介して読取デバイス２１によって読み取られる。読取デバイス２１は、内壁１４を含む固定フレームに設けられている。読取窓２２は、内壁としても機能する。尚、原稿が本シート搬送装置によって搬送されつつ読み取りがなされるため、読取デバイス２１は固定配置されたラインセンサであるものの、走査的な読み取りがなされる。
【００３３】
読取デバイス２１による読み取りが済んだ原稿は、対をなす駆動牽引ローラお１７Ａおよび従動牽引ローラ１７Ｂにより、排出トレー１８上に順次排出される。排出された原稿は、読取デバイス２１によって読み取られた面を上向きにして排出トレー１８上に載置され、ユーザは原稿を回収することができる。
【００３４】
尚、シートフィードスキャナ部１０が原稿の両面自動読み取り機能を有している場合には、原稿は、本シート搬送装置によって搬送されつつ、フラットベッドスキャナ部が備える読取デバイス（いずれも図示せず）の流用により、情報の読み取りがなされる。この場合、原稿が取込トレイ１１に載置された時に上向きとなった面が読み取られる。
【００３５】
さらに図３（ｂ）をも参照すると、本シート搬送装置は、内壁１４を含む固定フレームに回動支点Ｘ３１を介して取り付けられ、外壁１５に形成された切欠部を開蓋する開状態と、この切欠部を閉蓋する閉状態との間で回動可能なカバー３１を有している。搬送路におけるシート詰まりのような障害からの復旧、あるいは、シート搬送装置やこれを搭載する複合機において搬送路を臨む位置に搭載されている読取デバイス２１やこれを保護している読取窓２２等のデバイスのメインテナンスを行う際に、カバー３１が開状態とされ、これにより、ユーザは手や道具を搬送路に容易に挿入することができる。尚、開状態時に、カバー３１は、その一部が固定フレームに当接することによって過剰に閉方向に回動しないように規制されている。同様に、閉状態時に、カバー３１は、その一部が固定フレームに当接することによって過剰に開方向に回動しないように規制されている。
【００３６】
特に、本シート搬送装置は、図３（ｂ）に示されるように、カバー３１の回動支点Ｘ３１に向かって突出するように、内壁１４を含む固定フレームに設けられた山型部として、駆動牽引ローラ１７Ａを有している。尚、図３（ｂ）において、線分ａ−ａは、山型部としての駆動牽引ローラ１７Ａの山の突出方向を示している。また、図中、符号Ｍｔは、山型部としての駆動牽引ローラ１７Ａの山の頂点を示している。また、符号Ｍｆ１およびＭｆ２はそれぞれ、山型部としての駆動牽引ローラ１７Ａの山の裾部分を示している。したがって、頂点Ｍｔは、突出方向を示す線分ａ−ａ上に位置している。
【００３７】
本シート搬送装置はさらに、図３（ｂ）に示されるように、山型部（駆動牽引ローラ１７Ａ）に接近／離脱する方向に中心軸Ｘ１７Ｂごと往復動可能にカバー３１に取り付けられ、かつ、山型部に接近する方向にコイルバネ１７Ｃによって中心軸Ｘ１７Ｂごと付勢され（付勢力Ｆ）た可動子として、従動牽引ローラ１７Ｂを有している。
【００３８】
そして、本シート搬送装置において、図３（ｂ）に示されるように、カバー３１の閉状態時に可動子としての従動牽引ローラ１７Ｂが山型部（駆動牽引ローラ１７Ａ）の一方の裾部分Ｍｆ１に当接する（当接点Ｐ）ことにより、カバー３１は、閉状態でラッチされる。
【００３９】
一方、図５（ｂ）に示されるように、カバー３１の開状態時に可動子としての従動牽引ローラ１７Ｂが山型部（駆動牽引ローラ１７Ａ）の他方の裾部分Ｍｆ２に当接する（当接点Ｐ）ことにより、カバー３１は、開状態でラッチされる。
【００４０】
尚、後述するが、山型部の裾部分Ｍｆ１におけるいずれの位置に当接点Ｐがあったとしても、ユーザがカバー３１から手を離すと、カバー３１はいわば自動的に図３（ａ）および（ｂ）に示された閉状態に移行する。
【００４１】
一方、同じく後述するが、山型部の裾部分Ｍｆ２におけるいずれの位置に当接点Ｐがあったとしても、ユーザがカバー３１から手を離すと、カバー３１はいわば自動的に図５（ａ）および（ｂ）に示された開状態に移行する。
【００４２】
次に、本シート搬送装置の動作を説明する。
【００４３】
図３（ａ）および（ｂ）に示されるように、本シート搬送装置（シートフィードスキャナ部）の通常稼動時には、カバー３１は、閉状態である。この閉状態時には、可動子としての従動牽引ローラ１７Ｂが山型部（駆動牽引ローラ１７Ａ）の一方の裾部分Ｍｆ１に、コイルバネ１７Ｃの付勢力Ｆに応じた力で当接する（当接点Ｐ）ことにより、カバー３１は、閉状態でラッチされる。閉状態のカバー３１は、搬送路を内壁と共に規定する外壁の一部として機能する。
【００４４】
尚、カバー３１の閉状態（図３（ａ）および（ｂ））から図４（ａ）および（ｂ）に示された状態に到達する前に、ユーザがカバー３１から手を離したとしても、カバー３１は、コイルバネ１７Ｃによる付勢力に基づいて、可動子（従動牽引ローラ１７Ｂ）の当接点Ｐが山型部（駆動牽引ローラ１７Ａ）の頂点Ｍｔから第１の一方の裾部分Ｍｆ１に向かっていわば自動的に戻るように移動し、図３（ａ）および（ｂ）に示された閉状態でラッチされる。
【００４５】
次いで、搬送路におけるシート詰まりのような障害からの復旧、あるいは、シート搬送装置やこれを搭載する複合機において搬送路を臨む位置に搭載されている読取デバイス２１やこれを保護している読取窓２２等のデバイスのメインテナンスを行う際は、ユーザは、カバー３１を開方向に回動させる。カバー３１の開方向への回動に伴い、可動子（従動牽引ローラ１７Ｂ）の当接点Ｐは、山型部（駆動牽引ローラ１７Ａ）の一方の裾部分Ｍｆ１から山型部の頂点Ｍｔに向かって移動し、図４（ａ）および（ｂ）に示された状態に達する。図４（ａ）および（ｂ）に示された状態では、当接点Ｐは、山型部（駆動牽引ローラ１７Ａ）の頂点Ｍｔと一致している。
【００４６】
ユーザがさらにカバー３１を開いて行くと、カバー３１の開方向へのさらなる回動に伴い、可動子（従動牽引ローラ１７Ｂ）の当接点Ｐは、山型部（駆動牽引ローラ１７Ａ）の頂点Ｍｔを超えて山型部の他方の裾部分Ｍｆ２に向かって移動し、図５（ａ）および（ｂ）に示された状態に達する。即ち、可動子としての従動牽引ローラ１７Ｂが山型部（駆動牽引ローラ１７Ａ）の他方の裾部分Ｍｆ２に当接する（当接点Ｐ）ことにより、カバー３１は、開状態でラッチされる。
【００４７】
尚、カバー３１の図４（ａ）および（ｂ）に示された状態から開状態（図５（ａ）および（ｂ））に到達する前に、ユーザがカバー３１から手を離したとしても、カバー３１は、コイルバネ１７Ｃによる付勢力に基づいて、可動子（従動牽引ローラ１７Ｂ）の当接点Ｐが山型部（駆動牽引ローラ１７Ａ）の頂点Ｍｔから第２の他方の裾部分Ｍｆ２に向かっていわば自動的に進むように移動し、図５（ａ）および（ｂ）に示された開状態でラッチされる。
【００４８】
そして、カバー３１が開状態でラッチされることによって開蓋された外壁１５における切欠を通して、ユーザは、手や道具を搬送路に挿入し、搬送路におけるシート詰まりのような障害からの復旧、あるいは、シート搬送装置やこれを搭載する複合機において搬送路を臨む位置に搭載されている読取デバイス２１やこれを保護している読取窓２２等のデバイスのメインテナンスを行う。
【００４９】
障害の復旧作業またはメインテナンス作業終了後、ユーザがカバー３１を閉じる方向に付勢することにより、可動子（従動牽引ローラ１７Ｂ）の当接点Ｐが山型部（駆動牽引ローラ１７Ａ）の他方の裾部分Ｍｆ２から頂点Ｍｔを超えて一方の裾部分Ｍｆ１に移動し、これ以後はユーザがカバー３１から手を離したとしても、当接点Ｐが頂点Ｍｔから第２の一方の裾部分Ｍｆ１に向かっていわば自動的に戻るように移動する結果、カバー３１は、図３（ａ）および（ｂ）に示された閉状態でラッチされる。
【００５０】
以上説明した実施例においては、複合機のシートフィードスキャナ部に搭載され、情報を読み取るべき原稿を搬送するシート搬送装置を説明したが、本発明によるシート搬送装置は、プリンタ、もしくは、コピー機、ファクシミリ装置、あるいはそれらの複合機におけるプリンタ部に搭載され、印字すべき用紙を搬送するものであってもよい。この場合に、用紙の搬送路を外壁と共に規定する内壁のうちのカバーの開状態時に切欠部に露出する領域に、メインテナンスや交換作業を要する印字ヘッド、インクタンク、トナーカートリッジ、インクリボン、あるいは、プラテン等が位置していてもよい。
【産業上の利用可能性】
【００５１】
以上説明した実施例に限定されることなく、本発明は、特許請求の範囲に記載された技術範囲内であれば、種々の変形が可能であることは云うまでもない。
【符号の説明】
【００５２】
１０    シートフィードスキャナ部
１１    取込トレー
１２    ピックローラ
１３Ａ  駆動分離ローラ
１３Ｂ  従動分離ローラ
１４    内壁
１５    外壁
１６Ａ  駆動フィードローラ
１６Ｂ  第１従動フィードローラ
１６Ｄ  第２従動フィードローラ
１７Ａ  駆動牽引ローラ（駆動排出ローラ、山型部）
１７Ｂ  従動牽引ローラ（従動排出ローラ、可動子）
１７Ｃ  コイルバネ
１８    排出トレー
２１    読取デバイス
２２    読取窓
３１    カバー
Ｍｆ１、Ｍｆ２  裾部分
Ｍｔ    頂点
Ｘ１７Ａ、Ｘ１７Ｂ  中心軸
Ｘ３１  回動支点
【図１】
2014105104.tif 000003
【図２】
2014105104.tif 000004
【図３】
2014105104.tif 000005
【図４】
2014105104.tif 000006
【図５】
2014105104.tif 000007